Podtech/llm-jp-corpus-v4-ja_patent huggingface dataset:
(57)【要約】      （修正有）【課題】先行車輌の速度変化を後続車輌が素早く感知して追突事故を未然に防ぐアクセル用テールライトを提供する。【解決の手段】車輌にアクセルペダルの変位を感知するセンサ−を設け、その変位でアクセル用テ−ルライトを点滅させる事を特徴とする。【選択図】図１
0003155447.tif 000002
【実用新案登録請求の範囲】
【請求項１】
車輌にアクセルペダルの変位を感知するセンサ−を設け、その変位でアクセル用テ−ルライトを点滅させる事を特徴とするアクセル用テ−ルライト。
【請求項２】
車輌のアクセルペダルに変位を感知するセンサ−を設け、その変位でアクセル用テ−ルライトを点滅させる事を特徴とするアクセル用テ−ルライト。
【考案の詳細な説明】
【技術分野】
【０００１】本考案は、車輌のテ−ルライトに関する物であり，アクセルライトを車輌の後ろ側に設ける事によって後続車輌に運転の状況を知らせて、追突事故が未然に防ぐ様にしたものである。
【背景技術】
【０００２】従来、車輌の後ろ側に有るライトは、テ−ルライト、ブレ−キライト、バックライト、方向指示ライト、ナンバ−プレ−トライト、の５種類であった。
【考案の開示】
【考案が解決しようとする課題】
【０００３】上記従来の方法によると後続車両は先行車輌のアクセルペダルの状態を知る事ができなかった為、微妙な速度変化を感知するのが遅れていたので追突事故を発生させる事が多くあった。本考案は、先行車輌の速度変化を後続車輌が素早く感知して追突事故を未然に防ぐことを課題とする。
【課題を解決するための手段】
【０００４】この課題を解決するため請求項１の考案は、後続車輌に先行車輌のアクセルペダルの状態を知らせる為、車輌の後ろ側にアクセル用テ−ルライトを設ける事で追突事故を未然に防止できる。
【考案の効果】
【０００５】本考案により、後続車輌に素早くアクセルの状態を感知させて追突事故を未然に防止出来る。
【実施例】
【０００６】図１は、本考案の特徴である、アクセル用テ−ルライトは車輌にアクセルペダルの変位センサ−のスイッチが設けられており、スイッチの導通、非導通に応じてアクセル用テ−ルライトが点滅する。【０００７】本考案のアクセル用テ−ルライトは、電子部品で出来ている。
【産業上の利用可能性】
【０００８】本考案に係るアクセル用テ−ルライトは、工業的に量産する事が可能であるため、産業上の利用可能性を有する。
【図面の簡単な説明】
【０００９】
【図１】はアクセル用テ−ルライトの配線図である  １は導線  ２はバッテリ−  ３はシャ−シア−ス  ４はアクセル用テ−ルライト  ５はアクセルペダル  ６は変位感知スイッチ
【図２】は車輌の背面図である  ４はアクセル用テ−ルライト  ７は方向指示ライト  ８はテ−ルライトとストップライト  ９はナンバ−ライト  １０は後進用ライト
【図１】
0003155447.tif 000003
【図２】
0003155447.tif 000004
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
車輌にアクセルペダルの変位を感知するセンサ−を設け、その変位を感知しているか、いないかの状況よってアクセル用テ−ルライトを点灯または消灯させる事を特徴とする車輌用アクセルテ−ルライト。
【請求項２】
車輌のアクセルペダルに変位を感知するセンサ−を設け、その変位を感知しているか、いないかの状況によってアクセル用テ−ルライトを点灯または消灯させる事を特徴とする車輌用アクセルテ−ルライト。
【手続補正２】
【補正対象書類名】明細書
【補正対象項目名】全文
【補正方法】変更
【補正の内容】
【考案の詳細な説明】
【技術分野】
【０００１】本考案は、車輌のテ−ルライトに関する物であり、アクセルテ−ルライトを車輌の後ろ側に設ける事によって後続車輌に運転の状況を知らせて、特に悪条件での運転疲労を軽減させ、追突事故を未然に防ぐ様にしたものである。
【背景技術】
【０００２】従来、車輌の後ろ側にあるライトは、テ−ルライト、ブレ−キライト、バックライト、方向指示ライト、ナンバ−プレ−トライト、ハザ−ドライト、の６種類であった。
【考案の開示】
【考案が解決しようとする課題】
【０００３】上記従来の方法によると後続車輌は先行車輌のアクセルペダルの状況を知ることが出来なかった為、微妙な速度変化を感知するのが遅れていたので特に夜間雨の高速道路などでは、とても神経を使って疲労していた、そして、追突事故を発生させる事が多くあった。本考案は、先行車輌の速度変化を後続車輌が素早く感知して追突事故を未然に防ぐ事と、テ−ルライト機能がひとつ増える事で車輌のデザイン性、安全機能性が増し、新規性、進歩性をより高度なものとする事を課題とする。
【課題を解決するための手段】
【０００４】この課題を解決するため請求項１、の本考案は、車輌にアクセルペダルの変位を感知するセンサ−を設け、その感知した変位でアクセルテ−ルライトを点灯、消灯させる。
【考案の効果】
【０００５】本考案により、後続車輌に素早くアクセルペダルの状況を感知させて微妙な速度変化を認識させる事で悪条件での運転疲労を軽減し追突事故を未然に防止できる。
そして、テ−ルライト機能がひとつ増える事で車輌のデザイン性、安全機能性が増し、新規性、進歩性には絶大な効果が期待できる。
【実施例】
【０００６】図１は、本考案の特徴であるアクセルテ−ルライトは、車輌にアクセルペダルの変位センサ−のスイッチが設けられており、スイッチの導通、非導通に応じてアクセルテ−ルライトが点灯、消灯する。【０００７】本考案のアクセルテ−ルライトは、電子部品で出来ている。
【産業上の利用可能性】
【０００８】本考案に係るアクセルテ−ルライトは、工業的に量産する事が可能であるため、産業上の利用可能性を多いに有する。
【図面の簡単な説明】
【０００９】
【図１】はアクセルテ−ルライトの配線図である。１は導線  ２はバッテリ−  ３はシャ−シ−ア−ス  ４はアクセルテ−ルライト  ５はアクセルペダル  ６は変位感知スイッチ
【図２】は車輌の背面図である  ４はアクセルテ−ルライト  ７は方向指示ライト  ８はテ−ルライトとストップライト  ９はナンバ−ライト  １０は後進用ライト
(57)【要約】      （修正有）【課題】縄跳び遊びをしながら、振動と掌からの体温により、氷菓を短時間にてやわらかく食べ頃にすることが出来る縄跳び具を提供する。【解決手段】紐体の左右両端のグリップ部分を氷菓容器に改造した事を特徴としている。【選択図】図２
0003155441.tif 000002
【実用新案登録請求の範囲】
【請求項１】
紐体の左右両端にグリップ兼氷菓が充填された氷菓容器を取り付けた縄跳び具において、楽しく運動、遊んだ後に、振動と熱伝導にて丁度食べごろの前記氷菓が食べられることを特徴とする縄跳び具。
【考案の詳細な説明】
【技術分野】
【０００１】
本考案は、氷菓付縄跳び具に関するものである。
【背景技術】
【０００２】
縄跳びは健康器具または幼児学童の遊具として実用に供されているが、ただ跳ぶだけと楽しみ方も単調である。氷菓は運動したり遊んだりした後の幼児学童のおやつとして人気があるが、すぐ食べたいが冷蔵庫から取り出した直後は冷たくてかたくて食べづらい。
【考案の開示】
【考案が解決しようとする課題】
【０００３】
氷菓は冷凍庫から取り出した直後はかたく、冷たく食べると頭部にキーンと刺激を受けるので、暫らく置いてから食べるのが妥当である。そこで縄跳び具のグリップ部分に氷菓を充填することにより、縄跳び遊びをしながら、振動と掌からの体温により、氷菓を短時間にてやわらかく食べ頃にすることが出来、縄跳びによる運動で体力を消費した後に氷菓を食べることによって美味しさが増すメリットがある。
【課題を解決するための手段】
【０００４】
上記の目的を達成するために、請求項１の考案は、紐体の左右両端のグリップ部分を氷菓容器に改造した事を特徴としている。
【０００５】
上記請求項１の氷菓付縄跳び具のグリップ部分には体重と縄跳び回数による消費カロリー表が貼付してあり運動の目安を示してある。
【考案の効果】
【０００６】
氷菓は冷凍庫から取り出した直後はかたく、冷たく食べると頭部にキーンと刺激を受けるので、暫らく置いてから食べるのが妥当である。そこで縄跳び具のグリップ部分に氷菓を充填することにより、縄跳び遊びをしながら、振動と掌からの体温により、氷菓を短時間にてやわらかく食べ頃にすることが出来、縄跳びによる運動で体力を消費した後に氷菓を食べることによって美味しさが増すメリットがある。
【考案を実施するための最良の形態】
【０００７】
以下、図１乃至図３を参照して、請求項１の考案の実施形態を詳述する。図１は氷菓付縄跳び具の全体図であり、図２はグリップ兼氷菓容器部分である。図３は同上グリップ兼氷菓容器に貼付する消費カロリー表である。
【０００８】
図中の符号１は長い紐体であり、両端に蓋（符号２）を設けている。グリップ兼氷菓容器（符号３）は蓋（符号２）を回すことにより開ける事が出来る。
【０００９】
本考案の請求項１の氷菓付縄跳び具のグリップ兼氷菓容器の材質はポリプロピレンで突起をつけることで熱伝導を調節し、掌があまり冷たすぎないようになっている。
【００１０】
使用方法は、グリップ兼氷菓容器（符号３）にお好みの氷菓の原料になるジュースを充填し、蓋（符号２）を閉め冷凍庫にて半日程度保管し、凍結させる。
【００１１】
次に、凍結された請求項１の氷菓付縄跳び具を冷凍庫から取り出し、屋外に移動し氷菓の充填されたグリップ兼氷菓容器（符号３）の持ち手部分を左右の手にそれぞれ1つずつ持ち図３の消費カロリー表を目安に縄跳び遊びによる跳躍を実施する。
【００１２】
縄跳び遊びによる跳躍を数分間実施している間に、掌の熱伝導と振動により、グリップ兼氷菓容器（符号３）に充填された氷菓が融解を始め、丁度食べ頃となる。
【００１３】
適度な跳躍で体力を消費して、充填された氷菓が融解を始め丁度食べ頃となる頃、跳躍を止めて蓋（符号２）を開けグリップ兼氷菓容器（符号３）の中の氷菓を美味しく食する。
【００１４】
氷菓は冷凍庫から取り出した直後はかたく、冷たく食べると頭部にキーンと刺激を受けるので、暫らく置いてから食べるのが妥当である。そこで縄跳び具のグリップ部分に氷菓を充填することにより、縄跳び遊びをしながら、振動と掌からの体温により、氷菓を短時間にてやわらかく食べ頃にすることが出来、縄跳びによる運動で体力を消費した後に氷菓を食べることによって美味しさが増すメリットがある。
【図面の簡単な説明】
【００１５】
【図１】本考案の実施形態を示す氷菓付縄跳び具の全体図である
【図２】同上氷菓付縄跳び具のグリップ兼氷菓容器部分を示す斜視図である。
【図３】同上氷菓付縄跳び具の容器部分に添付する消費カロリー表を示す図である。
【符号の説明】
【００１６】
１ 紐 体
２ 蓋
３ グリップ兼氷菓容器
【図３】
0003155441.tif 000003
【図１】
0003155441.tif 000004
【図２】
0003155441.tif 000005
(57)【要約】      （修正有）【課題】柱状体と棒状の部材の組み合わせにより、テーブルの脚として構成し、かつ容易にテーブルの形状やサイズを変更できるテーブル脚を提供する。【解決手段】柱状体１に異なる二方向に貫通孔を開け、そこに頑強な棒状の部材２を通す複数本Ｎ本（Ｎ≧３）から構成する脚の組み合わせにより、テーブルの脚として使用でき、また、その棒状の部材２の長さを変えて挿入することによって容易にサイズを変更できる。また、その柱状体１複数本Ｎ本（Ｎ≧２）が一方向において安定を保つ形状の場合はその柱状体の不安定な方向に貫通孔を開け、そこに１本の棒状の部材２を通すことにより、テーブル脚として使用でき、その棒状の部材の長さを変えて挿入することによって容易にサイズを変更できる。【選択図】図１
0003155491.tif 000002
【実用新案登録請求の範囲】
【請求項１】
等しい長さのN本（N≧3）の柱状体と、それを貫通する棒状の部材の組み合せにより、サイズの異なるテーブル天板の使用が可能な、テーブル脚。
【考案の詳細な説明】
【技術分野】
【０００１】
本考案は、柱状体と棒状の部材の組み合せにより、サイズを容易に変えることが可能な、テーブル脚に関するものである。
【考案の開示】
【考案が解決しようとする課題】
【０００２】
従来の既製品のテーブル状の家具は、サイズが固定されており、使用する空間のサイズや用途にあった寸法のものを選んで購入することが一般的であり、後に使用目的、あるいは用途が変更した場合は、不要になるか、新たに用途にあったものを選ばざるを得ない。
【課題を解決するための手段】
【０００３】
柱状体に異なるニ方向に貫通孔を開け、そこに頑強な棒状の部材を通す複数本N本（N≧3）から構成する脚の組み合わせにより、テーブルの脚として使用でき、また、その棒状の部材の長さを変えて挿入することによって容易にサイズを変更できる。また、その柱状体 複数本N本（N≧2）が一方向において安定を保つ形状の場合はその柱状体の不安定な方向に貫通孔を開け、そこに1本の棒状の部材を通すことにより、テーブル脚として使用でき、その棒状の部材の長さを変えて挿入することによって容易にサイズを変更できる。
【考案の効果】
【０００４】
環境や用途が変わることにおいても、違う長さの棒状の部材を貫通することによって、場面や用途に合わせて、サイズの異なるテーブル天板の使用が可能なテーブル脚となった。
【図面の簡単な説明】
【０００５】
【図１】本考案のテーブル脚の構成を説明する模式的な斜視図
【図２】本考案のテーブル脚の構成を説明する模式的な斜視図
【図３】本考案のテーブル脚の構成を説明する模式的な斜視図
【図４】本考案のテーブル脚の構成を説明する模式的な斜視図
【符号の説明】
【０００６】
１    柱状体
２    棒状の部材
３    天板
【図１】
0003155491.tif 000003
【図２】
0003155491.tif 000004
【図３】
0003155491.tif 000005
【図４】
0003155491.tif 000006
(57)【要約】【課題】近年のパターグリップは柔らかな素材を使って、手に馴染みやすくしている。全体を柔らかくしたグリップにシャフトを挿入したパターは、長年の使用期間中にシャフト先端が刃物となって、グリップ終端を円形にカットする問題があった。【解決手段】金属製シャフト先端に比較的硬い素材の中栓を挿入して金属部分を覆い、柔らかいグリップのシャフト穴の底面には中栓の端面が均等に当って、シャフトが食い込まないようにした。この中栓には通し穴があって、シャフト内空間と外気とはつながっている。【選択図】図２
0003155464.tif 000002
【実用新案登録請求の範囲】
【請求項１】
パターのグリップに挿入する金属製シャフトに、先端の金属部を覆う短い中栓を入れて、前記グリップのシャフト挿入穴の底面には前記中栓の端面が当る様にした事を特徴とするパターシャフトの中栓。
【請求項２】
パターシャフトの中栓はグリップより硬くした事を特徴とする請求項１記載のパターシャフトの中栓。
【請求項３】
パターシャフトの中栓には通し穴を設けたことを特徴とする、請求項１記載のパターシャフトの中栓。
【請求項４】
パターシャフトの中栓に設けた通し穴径はグリップ終端面に設けたドレイン穴径と同等以上であることを特徴とした、請求項３記載のパターシャフトの中栓。
【考案の詳細な説明】
【技術分野】
【０００１】        本考案はゴルフ用品のパターに関するもので、いかなる柔らかい素材でもグリップに適用できる手段を提供するものである。
【背景技術】
【０００２】        近年のパターグリップはカラフルにデザインされた物が多く世の中に提供され始めている。その多くは実願２００２−３４、特願２００３−３２５６０６、特願２００７−５０２１２７  等で公開されている様に、シャフトに装着するグリップのコアとなる比較的硬いスリーブと、そのスリーブ表面を全面に亘って１枚のシートで巻き付ける方法が採られている。このシートは強度確保と衝撃吸収、手の吸着感を出す為に多層構造にする事が多い。
他方、実願２００７−６０００１７の様にグリップ自体を柔らかいエラストマー樹脂で成形し、特長ある形を追求すると共に素材が持つ衝撃吸収や手の吸着感、多様な色で作ったグリップが提供されている。
【考案の開示】
【考案が解決しようとする課題】
【０００３】        図１は一般のパターグリップとシャフトの組立図を表わしている。グリップ１へシャフト２を挿入する前に、両面接着テープ３をシャフト２の縦方向に貼り、両面テープの接着層を溶かす溶剤をかけてからグリップ１に入れている。グリップ１の終端面にある穴はグリップ１内の溶剤を出すドレイン４である。
パターグリップ１に挿入するシャフト２の先端部は両面接着テープ３を巻く事はあっても、鋭利な状態でグリップ１に組み付けられている。ゴルフ場では各ホール終了ごとにパターを専用ボックスに投げ込むため、特に外巻きタイプと異なる柔らかい素材で作られたグリップ１は、長い使用期間中にドレイン４周りの終端面がシャフト２によって丸く切断される課題があった。
【課題を解決するための手段】
【０００４】        本考案はシャフト先端の鋭利な部分を硬い中栓でカバーして、柔らかいグリップに組み込む方法を提供するもので、この中栓の形状はシャフトに挿入する部分とシャフト外径に等しい円柱部分とで構成している。
またシャフト内部空間がパターの外部環境と遮断されないように、中栓には丸穴を設けている。
【考案の効果】
【０００５】        本考案は硬い中栓でシャフト先端をカバーし、シャフト挿入穴の底面には硬い中栓の面で接触する様にして、シャフトから受ける単位面積当たりの荷重を減らし、シャフトによるグリップ終端面の切断問題を解消するものである。
このことはグリップ本体の柔らかさを真に手に馴染みやすい所まで拡大でき、パター本来の性能を向上させる効果を合わせ持っている。
また中栓が有する丸い通し穴は、シャフト内の空気が密閉状態にならない様にして、爆発等の不慮の事故を未然に防ぐ効果も持っている。
【考案を実施するための最良の形態】
【０００６】        図２は本考案を示すもので、シャフト２の先端に中栓５を挿入して金属先端部をカバーし、その上に両面接着テープ３を貼ってグリップ１に挿入する。
中栓５の中央部には通し穴６があって、この径はドレイン４の径と同等以上にして、多少の穴位置がずれてもシャフト内空間７と外気は繋がり、防爆の機能を持たせている。
【実施例１】
【０００７】        中栓５はグリップ１と同一素材のエラストマー樹脂に硬化剤を添加して硬くしている。シャフト先端の鋭利な部分をカバーし、柔らかいグリップ１のシャフト穴の底面８には中栓５の端面が均等に当っている。
【実施例２】
【０００８】        実施例１では中栓の材料をグリップと同じエラストマー樹脂を使っているが、これをアルミ等の金属材料を旋盤加工、もしくは金型での精密成形した物でも良い。
【図面の簡単な説明】
【０００９】
【図１】パターグリップにシャフトを組み立てる時の一般的な方法
【図２】本考案のパターシャフト先端に入れる中栓  シャフト先端の金属部分を中栓でカバーして、柔らかいグリップのシャフト挿入穴の底面には中栓の端面が均等に当たっている
【符号の説明】
【００１０】  １．  パター用のグリップ
２．  金属製のシャフト
３．  グリップとシャフトを固定する両面接着テープ
４．  両面テープの接着剤を溶かす溶剤を出す為のドレイン
５．  シャフト先端の鋭利な金属部分をカバーする中栓
６．  中栓に設けた通し穴
７．  シャフト内空間
８．  グリップにシャフトを通す穴の底面
【図１】
0003155464.tif 000003
【図２】
0003155464.tif 000004
(57)【要約】      （修正有）【課題】レトルト食品を落とすことなく容易に片手で簡単に取り出す事が出来るレトルト食品の保持兼用絞り具を提供する。【解決手段】長手方向の一端面から３０〜６０°の範囲内の角度を有する切込み部２が、１〜５ｍｍの範囲内の切り込み幅６として設けられている。【選択図】図１
0003155468.tif 000002
【実用新案登録請求の範囲】
【請求項１】
長手方向の一端面から３０〜６０°の範囲内の角度（４）を有する切込み部（２）が、１〜５ｍｍの範囲内の切り込み幅（６）として設けられたことを特徴とするレトルト食品保持兼用絞り具（１）。
【請求項２】
長手方向の一端面から３０〜６０°の範囲内の角度（４）を有する切込み部（２）が、１〜５ｍｍの範囲内の切り込み幅（６）として設けられ、更にもう一方の長手方向の一端面からは９０°の角度（５）を有する切り込み部（３）が、１〜５ｍｍの範囲内の切り込み幅（７）として設けられたことを特徴とするレトルト食品保持兼用絞り具（１）。
【考案の詳細な説明】
【技術分野】
【０００１】  本考案は、加熱調理時に簡便に保持して取り扱う事が出来、更に食品を搾り出すレトルト食品保持兼用絞り具に関する。
【背景技術】
【０００２】  従来、加熱調理後のレトルト食品を皿等に絞り出すための用具として長手方向の一端面から９０°の角度を有する切込み部にレトルト食品を挟み込んで絞り出すものがあった。
【先行技術文献】
【特許文献】
【０００３】
【特許文献１】  登録実用新案第３１４８６０７号公報
【考案の概要】
【考案が解決しようとする課題】
【０００４】  しかしながら、熱湯にレトルト食品を投入したり、又加熱調理終了後、熱湯からレトルト食品を取り出す際は、非常に熱く危険なため、わざわざ箸でつまみ出したりする必要があった。【０００５】  特許文献１のようなレトルト食品絞り具では、先端突起部波型の箇所でレトルト食品を挟んで取り出す事が出来るが、この絞り具は持ち手部がハサミ形状となっているため、指をいちいちハサミの持ち手部に通さなければならない欠点があり、更にはハサミ構造とするために製造コストもかかり、置き場所のスペースを取る等の欠点があった。
【問題を解決するための手段】
【０００６】  本考案のレトルト食品保持兼用絞り具は、長手方向の一端面から３０〜６０°の範囲内の角度（４）を有する切込み部（２）が、１〜５ｍｍの範囲内の切り込み幅（６）として設けられたことを特徴を特徴とする。
【０００７】  更に、長手方向の一端面から３０〜６０°の範囲内の角度（４）を有する切込み部（２）が、１〜５ｍｍの範囲内の切り込み幅（６）として設けられ、更にもう一方の長手方向の一端面からは９０°の角度（５）を有する切り込み部（３）が、１〜５ｍｍの範囲内の切り込み幅（７）として設けられたことを特徴とする。
【考案の効果】
【０００８】  本考案のレトルト食品保持兼用絞り具は、長手方向の一端面から３０〜６０°の範囲内の角度（４）を有する切込み部（２）が、１〜５ｍｍの範囲内の切り込み幅（６）として設けられているため、例えば加熱前のレトルト食品の上部をこの切り込み部に挟み込んで若干ねじるだけで簡単にレトルト食品を保持、取り扱い出来る優れたものとなる。
【０００９】  また、加熱調理終了後、熱湯からレトルト食品を取り出す際にも、この切り込み部（２）にレトルト食品をサッと挟み込んで若干ねじるだけで安易にレトルト食品を落とすことなく取り出す事が出来る優れたものとなる。
【００１０】  もちろん、この長手方向の一端面から３０〜６０°の範囲内の角度（４）を有する切込み部（２）側で加熱調理したレトルト食品を開封後皿等に絞り出しても良い。
【００１１】  更にもう一方の長手方向の一端面からは９０°の角度（５）を有する切込み部（３）が、１〜５ｍｍの範囲内の切り込み幅（７）として設けられた部位側で、加熱調理したレトルト食品を開封後、皿等に絞り出しても良い。
【図面の簡単な説明】
【００１２】
【図１】本考案の一実施例を示す正面図である。
【図２】本考案の一実施例のうちＡ−Ａ部分を示す断面図である。
【図３】本考案の一実施例のうちＢ−Ｂ部分を示す断面図である。
【考案を実施するための形態】
【００１３】  本考案におけるレトルト食品保持兼用絞り具の大きさ、デザイン、材質、製造方法は特に限定される事はないが、耐熱性、生産性、易加工性、洗浄等の取り扱い易さ等から樹脂成形されたものが好ましい。
以下、実施例と図に基づき説明する。
【実施例】
【００１４】  以下、本考案の一実施例を図１、図２及び図３で説明するがこれによって本考案はなんら限定されるものではない。【００１５】  図１は、本考案の一実施例の正面から見たものを示し、長手方向右側の一端面から、４５°の角度（４）を有する切込み部（２）が、４ｍｍの切り込み幅（６）として長さ約６０ｍｍに渡って設けられており、更に長手方向左側の一端面からは９０°の角度（５）を有する切込み部（３）が、４ｍｍの切り込み幅（７）として設けられている。【００１６】  なお、４５°の角度（４）を有する切込み部（２）の端面は、レトルト食品を挟み易いように、誘い込み形状（８）として形成されている。【００１７】  又、保管用としての引っ掛け穴（６）が設けられている。【００１８】  図２は、図１で示したＡ−Ａ部分の断面図を示し、切り込み部（２）が４５°の角度（４）で形成され、更に切り込み幅（６）は４ｍｍとして設けられていることを示している。【００１９】  この４５°の角度（４）とすることにより、レトルト食品を挟み込んで少しだけねじれば、簡単に片手で保持、取り扱いが出来るのである。【００２０】  図３は、図１で示したＢ−Ｂ部分の断面図を示し、切り込み部（３）が９０°の角度（５）で形成され、更に切り込み幅（７）は４ｍｍとして設けられていることを示している。
【産業上の利用の可能性】
【００２１】  長手方向の一端面から３０〜６０°の範囲内の角度（４）を有する切込み部（２）が、１〜５ｍｍの範囲内の切り込み幅（６）として設けられているため、加熱前のレトルト食品の上部をこの切り込み部に挟み込んで若干ねじるだけで簡単に保持、取り扱い出来、もちろん加熱調理後、熱湯からレトルト食品を取り出す際もこの切り込み部（２）にサッと挟み込んで少しねじるだけで、安易にレトルト食品を落とすことなく片手で簡単に取り出す事が出来るレトルト食品保持兼用絞り具となる。
【００２２】  もちろんこの３０〜６０°の範囲内の角度（４）を有する切込み部（２）で加熱調理したレトルト食品を開封後、皿等に絞り出しても良いが、更にもう一方の長手方向の一端面から９０°の角度（５）を有する切込み部（３）が、１〜５ｍｍの範囲内の切り込み幅（７）として設けおいた部位側で、レトルト食品を開封後、皿等に絞り出すことが出来るレトルト食品保持兼用絞り具とすることも出来る。
【符号の説明】
【００２３】１  レトルト食品保持兼用絞り具      ２  切り込み部      ３  切り込み部
４  角度      ５  角度      ６  切り込み幅      ７  切り込み幅
８  誘い込み形状
【図１】
0003155468.tif 000003
【図２】
0003155468.tif 000004
【図３】
0003155468.tif 000005
(57)【要約】      （修正有）【課題】家庭用コンロに付設された魚焼グリルで魚等を加熱調理する際に、焼けた魚の身から網に焦げ付いた皮を剥さず取り上げ、掴むための魚焼グリル用トングであり、魚を挟んだ際にトング背部より抜け落ちを防止する機能を持つグリル用トングを提供する。【解決手段】家庭用コンロの魚焼グリルの焼網の間隔に櫛状挟み部のすべての櫛先部４が焼網の下部に挿入される２枚の櫛状挟み部を持ち、挟み部背部３に魚が滑り抜け落ち防止する、互いに内側に向いた数枚の滑り留爪５を持つ構造にする。よって、魚等の細長く流線形状の食材を広い面積でかつ水平に保持し移動や反転させることが可能になる。【選択図】図２
0003155469.tif 000002
【実用新案登録請求の範囲】
【請求項１】
食品を加熱調理するコンロに付設された魚焼グリルで使用する食品把持具であって、２枚の櫛状挟み部を有し、その櫛部のすべての櫛が加熱調理する食品を置く魚焼グリルの焼網の隙間より焼網の下部に挿入できる形状を持つ２枚の櫛状挟み部が噛み合うことにより、魚焼グリル上の食品を掴むことを特徴とするグリル用トング。
【請求項２】
前記の２枚の櫛状挟み部の背部に複数の滑り留爪を有し、サンマ等の細長い形状の食品を挟んだ時に、櫛状挟み部の背部から滑り抜け落ちるのを止めることを特徴とする請求項１に記載のグリル用トング。
【考案の詳細な説明】
【技術分野】
【０００１】本考案は、家庭用コンロに付設された魚焼グリルで魚を加熱調理する際に、焼かれた魚の身から皮を剥さず焼き網から取り、また反転させるグリル用トングに関するものである。
【背景技術】
【０００２】魚焼グリルで魚を焼く際、菜箸等で焦げた魚の皮が焼網に付き無理に剥そうとすると魚の身を崩してしまう。【０００３】麺や野菜サラダを掴む機能を持つトングは、細長い魚を挟むには適しているが櫛状挟み部の間隔がグリルの焼網の間隔と一致していない。また、焼網より下部に挿入できず不適当である。【０００４】上記のトングでは、流線形状の魚等を挟むと櫛状挟み部の背部から滑り抜け落ちることがある。
【考案の開示】
【考案が解決しようとする課題】
【０００５】魚焼グリルで生魚を焼く際、魚の皮が焼網に焦げ付いてしまい、この状態で菜箸を用いて持ち上げようとすると魚の身の一部が焦げ付いた皮とともに網に付着して残ったり折れ曲ったりして魚の形を崩してしまう。【０００６】魚等を挟んで掴むにはパスタ等の麺用のトングは、挟み部の幅が広く便利であるが、家庭用コンロに付設された魚焼グリルの焼網と櫛部の間隔と一致しないため、グリルでの使用には不向きである。【０００７】上記のトングは魚を掴む際、水平方向より横向きにして使用するため、櫛状挟み部の背部から挟んだ魚が滑り落ちることがある。
【課題を解決するための手段】
【０００８】一般に流布している家庭用コンロの魚焼グリルの焼網の間隔に合わせ、挟み部の櫛の間隔を同一にし、櫛のすべてが網の間に入るようにすることにより、広い面積で魚を掴み魚の身を崩さず取り上げることが出来るようにする。【０００９】上記形状のトングは、魚を掴んだり反したりする際は横から挟むが、櫛状の挟み部の背部から滑り出てしまうことを防止するために、背部に滑り落ち防止の爪を数枚設ける。
【考案の効果】
【００１０】上述のように、本考案のグリル用トングは、グリルの焼網の間隔と櫛の間隔が一致しているので、グリル用トングのすべての櫛部がスムーズに網の間に入り、且つ魚を広い面積で保持するため、焼けた皮とともに魚の形状を崩すことなく掴み上げ、返すことができる。このことで美味しそうな盛り付けができる。【００１１】櫛状の挟み部の背部に滑り止の爪を設けたことにより、グリル用トングを横向きに使用しても背部から抜け落ちることがない。これは魚等のように滑りやすい食材には有効で簡単に保持及び反転ができる。
【考案を実施するための最良の形態】
【００１２】本考案のグリル用トングの１枚の櫛状挟み部は焼網の網目の隙間に櫛のすべてが挿入できる形状と間隔にし、また２枚の櫛状挟み部は互いに内側に向って湾曲した形状とし、２枚が噛み合うことにより食品を把持する【００１３】櫛状挟み部の櫛先と反対側の背部に櫛部の内部の湾曲と連続した滑り留爪を数箇所設ける。
【実施例】
【００１４】魚焼グリルの平行な焼網の上で焼かれた魚等の食品を、本考案のグリル用トングを水平方向から焼網の網目と平行に、グリル用トングの櫛状挟みの一方を焼網の下方にスライドさせ入れる。【００１５】グリル用トングの柄部を掴むことにより、もう一方の櫛状挟み部が下方に向って押さえ食品を掴むことができる。【００１６】上記と同時に櫛状挟み部の櫛先と反対側の背部に設けた滑り留爪により、魚等の食品が滑り抜け落ちることなく掴み移動することができる。
【産業上の利用可能性】
【００１７】パスタ用トングは一般に流布し使用されていたが、その使用方法は挟み部を上方より垂直に下ろしながら柄を掴むことによりパスタ等の麺を掴む構造になっていた。本考案のグリル用トングは平行な焼網の網目の隙間に櫛状挟み部の櫛先が挿入できる構造になっており、前後に広い櫛状挟み部を有しているためサンマ等の細長い形状の食品を広い範囲で支持し挟むことができる。菜箸で掴むと支持は１点であるため焼けた魚を取り上げる際、支持部で折ってしまう可能性があるが、本考案のグリル用トングは支持部が数箇所あるため、焼けた魚を折ったり崩したりすることなく取り上げることができる。【００１８】櫛状挟み部の櫛先の背部には滑り留爪を数箇所設けるので、水平方向より魚等を挟んだ際に差込方向の反対側に抜け落ちることがない。これらの構造により、調理した食品の形状を崩さず、美観を一層高めることができるため、本考案は調理関係の業務用補助具や一般家庭用補助具としての利用可能性は極めて高い。
【図面の簡単な説明】
【００１９】
【図１】魚焼グリル用トング全体図
【図２】トング挟み部の拡大図
【図３】トング挟み部の上面図
【符号の説明】
【００２０】１    グリル用トング柄
２    グリル用トング櫛状挟み部
３    櫛状挟み部背部
４    櫛状挟み部櫛先部
５    滑り留爪
【図１】
0003155469.tif 000003
【図２】
0003155469.tif 000004
【図３】
0003155469.tif 000005
(57)【要約】      （修正有）【課題】個人個人の頭部や頚椎に適応し得る枕を提供する。【解決手段】枕の表面に乳房状の柔軟な二つの膨らみを形成し生地カバーにて覆い、表面の下に１，２センチ程度の数枚のクッションを挿入して、使用者の状態によりクッションの枚数を増減して調節出来、表面の乳房状の柔軟な二つの膨らみ形成により、横臥就寝時にも横向き就寝時にも体が安定して深層心理的に肉体的に睡眠導入の効果と良質な睡眠に適応出来得る。【選択図】図１
0003155455.tif 000002
【実用新案登録請求の範囲】
【請求項１】
枕の表面に乳房状の柔軟な二つの膨らみを形成し生地カバーにて覆い、表面の下に１，２センチ程度の数枚のクッションを挿入して、頭部と頚椎との個人の体格の状態に応じて適宜取出したり補充を簡単に成し得、乳房状の柔軟な二つの膨らみ形成により、横臥就寝時にも横向き就寝時にも体が安定して睡眠導入的な効果と良質な睡眠が得られてなる枕。
【考案の詳細な説明】
【技術分野】
【０００１】本案は上記のごとくして、１図に示すごとく、二つの膨らみ形成部１，生地カバー部２、の一端の平面テープ３，２図に示すごとく、下部クッション部４、よりなる枕の考案である。
【考案の概要】
【考案が解決しようとする課題】
【０００２】本案は以上の如くであるから、従来の枕は種々のクッションを内蔵し、外カバーを被せた構造であり、購入者が任意に改造する事が出来なかったので、個人個人の頭部や頚椎に適応し得ない欠点があった。枕ほど人によって合う合わないが分かれる寝具はない、枕によって首痛や肩凝りが多かった、またオーダーの枕は価格面で高価格であり、経済的な負担があった。
【課題を解決するための手段】
【０００３】本案は、枕の表面に乳房状の柔軟な二つの膨らみを形成し生地カバーにて覆い、表面の下に１，２センチ程度の数枚のクッションを挿入して、使用者の状態によりクッションの枚数を増減して調節出来、表面の乳房状の柔軟な二つの膨らみ形成により、横臥就寝時にも横向き就寝時にも体が安定して、深層心理的に肉体的に睡眠導入の効果と良質な睡眠に適応出来得るようにした枕の考案である。
【考案の効果】
【０００４】本案は、枕の表面に乳房状の柔軟な二つの膨らみを形成し生地カバーにて覆い、表面の下に１，２センチ程度の数枚のクッションを挿入して、就寝時に頭部と頚椎と個人の体格に応じて適宜取出したり補充を簡単に成し得、表面の乳房状の柔軟な二つの膨らみ形成により、横臥就寝時にも横向き就寝時にも体が安定して、深層心理的に肉体的に睡眠導入の効果と良質な睡眠を得られ、首痛や肩凝りを軽減して、健康生活に大きな効果が得られる等、その益する所甚だ大である
【図面の簡単な説明】
【０００５】
【図１】二つの膨らみ形成生地カバー図
【図２】下部クッション図
【符号の説明】
【０００６】１．枕の二つの膨らみ形成部
２．枕の生地カバー部
３．枕の生地カバー一端の平面テープ部
４．枕の下部クッション部
【図１】
0003155455.tif 000003
【図２】
0003155455.tif 000004
(57)【要約】      （修正有）【課題】メタボリック症候群対策及び骨盤矯正に寄与する骨盤ベルト付きクロッチレスガードルを提供する。【解決手段】一般的に着脱が簡単で慣行化されているガードルを利用して、本体後中心部分７左右に取り付けた、補助ベルト１が、大転子をとおり、前中心でかぎホックまたは面ファスナーで接続することと、ベルトは腰骨から大転子まで保持できる太さが理想で、ベルト装着部の後ろ中心部分を安定させるため、伸びの少ない素材を９の部分に使用することで、ベルトを安定させ仙骨部分を押さえる。さらに一般的なガードルで必ずあるクロッチ部分を無くすことで、ショーツとガードルの２枚重ね穿きのごわつき感の解消を特長とする。【選択図】図２
0003155457.tif 000002
【実用新案登録請求の範囲】
【請求項１】
ガードル及びスパッツの本体後中心部分（７）左右に取り付けた、補助ベルト（１）が、大転子をとおり、前中心でかぎホック（２）（３）または面ファスナーで接続することを特長とし、さらにクロッチ部分の無い、骨盤ベルト付きクロッチレスガードル
【考案の詳細な説明】
【考案の詳細な説明】
【技術分野】
【０００１】本考案は、メタボリック症候群対策及び骨盤矯正に寄与するガードルの応用に関するものである。
【在来の技術】
【０００２】現在、メタボリック症候群や骨盤のゆがみによる頭痛や腰痛が社会問題化している。その中で近年生活習慣病の改善のための、メタボ検診が実施されている。しかしこれだけの問題が叫ばれながら、普段から衣類として着用して、メタボリック症候群や骨盤のゆがみが起きないように予防したり、改善したりするものは非常に少なかった。
一部そのようなコンセプトの商品も存在し、補正下着として人気であり、骨盤ベルト付ガードルや骨盤ベルトなどがそういった部類に入る。
しかしながらこれらの商品は非常に高価で、締め付けがとても強く、骨盤ベルトの締め付け位置は、腰骨を締め付ける商品が普通である。
【考案が解決しようとする課題】
【０００３】これらの骨盤矯正ガードル・ベルト等は、様々なメーカーから健康衣料として販売されてはいるが、締め付けがとても強く、骨盤ベルトの締め付け位置は、腰骨を締め付ける商品が普通である。
腰骨付近を締め付けてしまうと、お腹にベルトがあるので、お腹に力が入り引き締まった感覚になるが、骨盤付近の筋肉が鍛えられていない場合は逆効果である。
骨盤付近を締めてしまうと、てこの原理で、坐骨の間が広がってしまい、骨盤内にあるさまざまな臓器が下にさがり、下腹が出てきて骨盤は装着前よりゆるんでしまう。
ガードルは直接素肌に穿くのを標準として作られているが、実際はショーツとの重ね穿きが主流である。
【課題を解決する為の手段】
【０００４】本考案は一般的に着脱が簡単で慣行化されているガードルを利用して、本体後中心部分（７）左右に取り付けた、補助ベルト（１）が、大転子をとおり、前中心でかぎホック（２）（３）または面ファスナーで接続することと、ベルトは腰骨から大転子まで保持できる太さが理想で、ベルト装着部の後ろ中心部分を安定させるため、伸びの少ない素材を（９）の部分に使用することで、ベルトを安定させ仙骨部分を押さえます。
さらに一般的なガードルで必ずあるクロッチ部分を無くすことで、ショーツとガードルの２枚重ね穿きのごわつき感の解消を特長とする骨盤ベルト付きクロッチレスガードル
【考案の効果】
【０００５】▲１▼  補助ベルト（１）が大転子周りを二重に押さえることにより、骨盤が安定して内臓も正しい位置に入るため、下腹がすっきりし、メタボリック症候群対策になる。
▲２▼  本体に、骨盤補正ベルト（１）が付いているため、部分的な締め付けが可能で、他の一般的なガードルでの本体での強力な締め付けが必要なくなるため、内臓が圧迫しあうこともなくなり、自然と血流が良くなり機能も本来の力を取り戻すようになる。
▲３▼  ショーツとガードルの２枚重ね穿き時の、クロッチが無いため、股の部分のごわつき感の解消
▲４▼  デザインや加工方法が容易であるから、大量生産が出来るメリットがある。
【図面の簡単な説明】
【図１】本考案の骨盤ベルト付きガードル、正面図である。
【図２】本考案の骨盤ベルト付きガードル、背面図である。
【符号の説明】  （１）  骨盤ベルト付きガードルの補助ベルト
（２）  フックアイ（メスかぎ）
（３）  フックアイ（オスかぎ）
（４）  ウエストゴムベルト
（５）  骨盤ベルト付きガードル本体前右脇布
（６）  骨盤ベルト付きガードル本体前左脇布
（７）  骨盤ベルト付きガードル本体後右脇布
（８）  骨盤ベルト付きガードル本体後左脇布
（９）  ベルト装着部の後ろ中心部分
【図１】
0003155457.tif 000003
【図２】
0003155457.tif 000004
(57)【要約】      （修正有）【課題】予め印刷されたイラストや写真の代わりに、使用者の手持ちの写真を掲示できる場所を設けることで、安価でオリジナリティーのあるカレンダーを提供する。【解決手段】一般的カレンダーにおいて、通常挿絵としてイラストや写真などが印刷されていた部分は何も印刷しない（余白面３）。その余白面３に、写真Ｂの４角を差込み、それを保持させるための、斜めの切込み１を設ける。写真Ｂはカレンダー用紙に差し込んであるだけなので、容易に着脱でき、写真の変更も随時可能である。【選択図】図２
0003155460.tif 000002
【実用新案登録請求の範囲】
【請求項１】
カレンダー用紙に、写真の掲示場所を確保するため、写真の４角を差し込む斜めの切込みを設けたことを特徴とするカレンダー。
【考案の詳細な説明】
【技術分野】
【０００１】  本考案は、カレンダーに関するものである。
【背景技術】
【０００２】  従来のカレンダーは、暦部分と共に挿絵部分にイラストや写真が印刷されているものや、暦のみが印刷されているものが広く使われている。
【考案の概要】
【考案が解決しようとする課題】
【０００３】  カレンダーメーカーは、挿絵として、イラストや写真を印刷したり、ないしはそれを高い版権で購入し、カレンダーを製作する。そのため、製作・販売単価に印刷代、版権代などの費用が上乗せされることになる。【０００４】  また、一般的に家庭内にはアルバムや整理箱に眠っていて、撮っても陽の目を見ない写真が多くあると推測される。【０００５】  本考案は従来のカレンダーの挿絵部分にあたるイラストや写真の印刷を省き、またその余白となった部分を写真の掲示場所とすることで、製作・販売単価を大幅に安くし、かつ眠っていた写真を有効活用することができるカレンダーを提供しようとするものである。
【課題を解決するための手段】
【０００６】  本考案は、以上の課題を解決するため、カレンダー用紙に写真の掲示場所を確保するため、写真の４角を差し込む斜めの切込みを設けたことを特徴とする。
【考案を実施するための形態】
【０００７】  図１において、従来挿絵としてイラストや写真などが印刷されていた部分は何も印刷されていない（余白面３）。その余白面３に、写真Ｂの４角を差込み、それを保持させるための、斜めの切込み１を設ける。図２は、実際に写真８を差し込んだ図である。写真はカレンダー用紙に差し込んであるだけなので、容易に着脱でき、写真の変更も随時可能である。
【０００８】  図３は、図１の実施例に加え、複数の切込みが入っているが、切込みを複数入れることによって、複数の写真サイズに対応することも出来る。
【０００９】  図４は挿絵部分のない年間カレンダーでの本考案の応用例である。各月の月日は写真サイズで印刷されており、写真ＢをカレンダーＡに保持させるため、写真Ｂの４角を差込めるような斜めの切込み１を設けている。すでに過ぎた月を写真の掲示スペースとして利用できるようになっている。
【考案の効果】
【００１０】  本考案により、従来予め印刷されていたイラストや写真を使用しないことで、比較的安価にカレンダーを製作、販売することが可能になる。
【００１１】  また、カレンダーを写真の掲示場所として提供することで、アルバム等に眠っていた写真を身近に楽しむことが出来る上、容易に写真の変更が可能なことから、季節や行事にあわせた写真を選ぶなどして、オリジナリティーのあるカレンダーを使用者自ら作ることが出来る。
【図面の簡単な説明】
【００１２】
【図１】本考案のカレンダーの平面図。
【図２】同上、使用状態を示す平面図。
【図３】本考案の他の実施例を示す平面図。
【図４】本考案の他の実施例を示す平面図。
【符号の説明】
【００１３】  Ａ  カレンダー
Ｂ  写真
１  切り込み
２  暦部分
３  余白面
４  掛け部
【図１】
0003155460.tif 000003
【図２】
0003155460.tif 000004
【図３】
0003155460.tif 000005
【図４】
0003155460.tif 000006
(57)【要約】      （修正有）【課題】装着が簡単にでき、また洋服の内ポケットの歪み、型崩れを発生させることのない眼鏡ケースのクリップを提供する。【解決手段】弾力性ワイヤ２を折り曲げ、支点軸３、３を設け、折り曲げた長さの方向にＵ字形状部４を設け、かつ底辺に凸型の弓状部５を設け、両端に端挟着部６、６を設けた構造とする。装着時の眼鏡ケース本体およびケース内の眼鏡による加重が、二か所の端挟着部６、６に分散して保持されるため、洋服の内ポケットの歪み、型崩れを発生させることがない。しかも、弾力性ワイヤ２が支点軸３、３によりバネの作用を有するため、端挟着部６、６で洋服の内ポケットを挟み、簡便な装着ができる。【選択図】図１
0003155452.tif 000002
【実用新案登録請求の範囲】
【請求項１】
（イ）弾力性ワイヤ２を折り曲げ、支点軸３、３を設ける。
（ロ）折り曲げた長さの方向にＵ字形状部４を設け、底辺に凸型の弓状部５を設け、両端に端挟着部６、６を設ける。
以上の構造によりなる眼鏡ケースのクリップ。
【考案の詳細な説明】
【技術分野】
【０００１】本考案は、ポケット収納型眼鏡ケースに取り付けるクリップに関するものである。
【背景技術】
【０００２】従来、棒状または長方形の金属板を使用するポケット収納型眼鏡ケースのクリップがあった。
【考案の開示】
【考案が解決しようとする課題】
【０００３】これは次のような欠点があった。
クリップを洋服の内ポケットに挟んで眼鏡ケースを装着していたが、クリップの幅が狭く、その部分に眼鏡ケース本体およびケースに入れた眼鏡の加重が一点に集中し、ポケットの歪み、型崩れを発生させる不具合があった。
本考案は、この欠点を解決するものである。
【課題を解決するための手段】
【０００４】弾力性ワイヤ２を折り曲げ、支点軸３、３を設ける。
さらに、折り曲げた方向にＵ字形状部４を設け、底辺に凸型の弓状部５を設け、両端に端挟着部６、６を設ける。
本考案は、以上の構造よりなる眼鏡ケースのクリップである。
【考案の効果】
【０００５】このような、構造であるため、次に記載する効果がある。
装着時の眼鏡ケース本体およびケース内の眼鏡による加重が、二か所の端挟着部６、６に分散して保持されるため、洋服の内ポケットの歪み、型崩れを発生させることがない。
しかも、弾力性ワイヤ２が支点軸３、３によりバネの作用を有するため、端挟着部６、６で洋服の内ポケット８を挟み、簡便な装着ができる。
【考案を実施するための最良の形態】
【０００６】凸型の弓状部５を指でつまみ、端挟着部６、６を開き、眼鏡ケース本体７を洋服の内ポケット８に入れ、外側を挟み装着する。
【実施例】
【０００７】以下、添付図面に従って実施例を説明する。
（イ）図１に示す、弾力性ワイヤ２を折り曲げ、支点軸３、３を設ける。
（ロ）折り曲げた方向にＵ字形状部４を設け、底辺に凸型の弓状部５を設け、その両端に端挟着部６、６を設ける。
以上のような構造で、これを使用するときは、凸型の弓状部５を指でつまみ端挟着部６、６を開き、眼鏡ケース本体７を洋服の内ポケット８に入れ、外側を挟んで装着する。
【図面の簡単な説明】
【０００８】
【図１】  本考案の実施状態を示す斜視図である。
【図２】  本考案の実施状態を示す右側面図である。
【図３】  本考案の実施状態を示す平面図である。
【図４】  本考案の使用状態を示す斜視図である。
【図５】  従来品の使用状態を示す斜視図である。
【符号の説明】
【０００９】  １  クリップ
２  弾力性ワイヤ
３  支点軸
４  Ｕ字形状部
５  凸型の弓状部
６  端挟着部
７  眼鏡ケース本体
８  洋服の内ポケット
９  従来のクリップ
【図１】
0003155452.tif 000003
【図２】
0003155452.tif 000004
【図３】
0003155452.tif 000005
【図４】
0003155452.tif 000006
【図５】
0003155452.tif 000007